(57)【要約】【課題】小スペースの浴室に後付けした小物取付部に、他の小物を取付ける機能を容易に追加できるようにして、多様な浴室小物を取付けるための機能を高める。【解決手段】浴室用小物を取り付けることができる小物取付部１を備えた第１の取付部２と、他の浴室小物を取り付けることができる他の小物取付部３を備えた第２の取付部４とを着脱手段５にて着脱自在に接続している。【選択図】図１
2008237610.tif 000002
【特許請求の範囲】
【請求項１】
浴室用小物を取り付けることができる小物取付部を備えた第１の取付部と、他の浴室小物を取り付けることができる他の小物取付部を備えた第２の取付部とを着脱手段にて着脱自在に接続していることを特徴とする浴室小物取付装置。
【請求項２】
上記第１の取付部の小物取付部は、洗面器の外周の耳部の弧状外面に沿う耳受けフックと、耳受けフックの下方で耳受けフックよりも浴室内方に突出されていて、耳受けフックに耳部が支持されて吊下げられた洗面器の耳部近傍の洗面器内面に当接する内面支持フックを備えていることを特徴とする請求項１記載の浴室小物取付装置。
【発明の詳細な説明】
【技術分野】
【０００１】
本発明は、浴室小物取付装置に関し、詳しくは、小スペースの浴室に後付けした小物取付部に、他の小物を取付ける機能を容易に追加できるようにして、浴室小物を取付けるための機能を高めようとする技術に係るものである。
【背景技術】
【０００２】
従来、ユニットバス内にタオルや石けん等の浴室小物を使いやすく保持するために、ユーザーは吸盤式やマグネット式の小物取付器具を購入して浴室壁面等に取付けて使用している。（例えば、特許文献１参照）
このような従来の小物取付器具は、タオル掛けや石けん入れとして単一の機能のものとなっていて、種類の異なる浴室小物を保持するためには、その数だけ器具を購入して壁面に取付けなければならないものである。ところで、ユニットバスにて構成される浴室スペースは狭く構成されていて、多くの小物取付け用の器具を設置すると、浴室内スペースを有効に使用することができなくなるいという問題があった。
【０００３】
また、従来では、収納スペースを比較的大きく取る洗面器を限られた浴室スペース内にコンパクトに収納し難いものとなっていた。
【特許文献１】特願２００５−１７５６６５号公報
【発明の開示】
【発明が解決しようとする課題】
【０００４】
本発明はこのような問題を解決するためになされたものであり、小スペースの浴室に後付けした小物取付部に、他の小物を取付ける機能を容易に追加できるようにして、浴室小物を取付けるための機能を高め、また、洗面器をコンパクトに収納して安定して保持することができる浴室小物取付装置を提供することを課題とするものである。
【課題を解決するための手段】
【０００５】
請求項１に係る発明は、浴室用小物を取り付けることができる小物取付部１を備えた第１の取付部２と、他の浴室小物を取り付けることができる他の小物取付部３を備えた第２の取付部４とを着脱手段５にて着脱自在に接続していることを特徴とするものである。
【０００６】
このような構成によれば、小物取付部１を備えた第１の取付部２に、他の浴室小物を取り付けることができる他の小物取付部３を着脱手段５にて必要に応じて接続することができ、多様な小物を取付けるための機能をコンパクト化を図りながら追加することができ、ユニットバスのような限られた浴室スペースに浴室小物を取り付ける装置において有用である。
【０００７】
請求項２に係る発明においては、上記第１の取付部２の小物取付部１は、洗面器６の外周の耳部７の弧状外面８に沿う耳受けフック９と、耳受けフック９の下方で耳受けフック９よりも浴室内方に突出されていて、耳受けフック９に耳部７が支持されて吊下げられた洗面器６の耳部７近傍の洗面器内面１０に当接する内面支持フック１１を備えていることを特徴とするものである。
【０００８】
このような構成によれば、耳受けフック９に洗面器６の耳部７の弧状外面８を係止して吊下げ、耳受けフック９の下方で耳受けフック９よりも浴室内に突出している内面支持フック１１が洗面器６の耳部７近傍の洗面器内面１０に当接して、洗面器６をコンパクトに安定して吊下げ保持することができ、ユニットバスのような狭い浴室スペースに洗面器６を取り付ける装置において有用である。
【発明の効果】
【０００９】
要するに本発明は、小スペースの浴室に後付けした小物取付部に、他の小物を取付けるための機能を容易に追加することができ、浴室小物を取付けるための機能を高め、また、洗面器をコンパクトに収納して安定して保持することができる。
【発明を実施するための最良の形態】
【００１０】
以下、本発明の実施の一形態を添付図面に基いて説明する。図１は使用状態の正面図である。図２は浴室小物を外した状態を示し、同図（ａ）は平面図、同図（ｂ）は正面図、同図（ｃ）は側面図である。図３は第１の取付部と第２の取付部を着脱手段にて接続した状態を示し、（ａ）は平面図、（ｂ）は側面図、（ｃ）は正面図である。
【００１１】
図１、図２及び図３に示すように、浴室小物取付装置Ａは、例えば、洗面器６のような浴室用小物を取り付けることができる小物取付部１を備えた第１の取付部２と、例えば、タオル１３のような他の浴室小物を取り付けることができる他の小物取付部３を備えた第２の取付部４とを、例えば、スライド嵌合構造のような着脱手段５にて着脱自在に接続しているものであって、例えば、ユニットバスの内部の限られたスペースの浴室１４の壁面１５に後付けした小物取付部１に、他の小物を取付けるための機能を容易に追加することができ、浴室小物を取付けるための機能を高めている。図１の符号２９はブラシなどの紐付き或いは孔あきの浴室小物である。
【００１２】
上記第１の取付部２は、主として、洗面器６を取り付けるための樹脂成形品のものであり、第１の取付部２の小物取付部１は、洗面器６の外周の耳部７の弧状外面８に沿う耳受けフック９を備えている。耳受けフック９は軟質樹脂にて成形している。耳受けフック９の下方で耳受けフック９よりも浴室内方に突出されていて、耳受けフック９に耳部７が支持されて吊下げられた洗面器６の耳部７近傍の洗面器内面１０に当接する内面支持フック１１を備えている。内面支持フック１１は本体部分１６とともに硬質樹脂にて成形されている。図７に示すように、本体部分１６の上端部は断面略Ｔ字状に形成されて本体部分１６の上部両側部にスライド凸部１８、１８を形成している。耳受けフック９と内面支持フック１１との間には洗面器６の耳部７及びその近傍部分を収容する空所３０が形成されている。
【００１３】
図４に示すように、上記第２の取付部４は、本実施の形態では、主として、タオル１３を掛ける掛けバー１７の両端部を支持する対となるものである。第２の取付部４の他の小物取付部３は、平面から見て一側方に開口する凹部１９が形成され、凹部１９の底部が弧状に形成され、この弧状底面２０よりやや上方に突条２１、２１が対向して形成され、断面円形の掛けバー１７の両端部を凹部１９の弧状底面２０に突条２１を乗り越えて挿入して、掛けバー１７を保持することができるようにしている。第２の取付部４の下面部の両側部にＬ形片２２、２２を形成して、これらＬ形片２２、２２間にスライド溝２３を形成している。上記第２の取付部４は対とならずに単一のものであってもよい。
【００１４】
このような構成によれば、第１の取付部２のスライド凸部１８、１８に第２の取付部４のスライド溝２３をスライドさせて係合させることで、第１の取付部２に第２の取付部４を必要に応じて接続することができるのであり、多様な小物を取付けるための機能をコンパクト化を図りながら追加することができるのであり、ユニットバスのような限られた浴室スペースに浴室小物を取り付ける装置において有用となるものである。
【００１５】
具体的な使用例は、図３に示すように、第１の取付部１の耳受けフック９に洗面器６の耳部７の弧状外面８を係止して吊下げ、耳受けフック９の下方で耳受けフック９よりも浴室内に突出している内面支持フック１１が洗面器６の耳部７近傍の洗面器内面１０に当接して、洗面器６をコンパクトに安定して吊下げ保持することができるのであり、また、対となった第２の取付部４にて支持された掛けバー１７にタオル１３等を掛けることができるのである。
【００１６】
上記第１の取付部２及び第２の取付部４は、各々を単独で使用することができるものである。図４は第２の取付部４を単独で使用する形態を示し、図７〜９は第１の取付部２を単独で使用する形態を示している。これら第１及び第２の取付部２、４は浴室１４の壁面１５にビスや接着剤等にて独立して取り付けることができるようにしているが、必要に応じて、浴室１４の壁面１５に取り付けた一方のものに他方を着脱手段５にて接続してもよいものである。
【００１７】
図８は第１の取付部２に対するカバー１２を示し、カバー１２の両側部に上記Ｌ形片２２と同形状のＬ形状片２５を形成し、Ｌ形状片２５、２５の間にスライド溝２３を形成していて、カバー１２のスライド溝２３を第１の取付部２のスライド凸部１８、１８に係合することで、第１の取付部２にカバー１２を被せて第１の取付部２のみの使用時に外観を整えるようにしている。
【００１８】
ところで、図５に示すように、第１の取付部２の洗面器６に対する内面支持フック１１は、例えば、第１の取付部２の主体部分１６に深い挿入溝３１を形成し、必要に応じてスペーサー２６を使用することで、浴室内方に突出・後退自在にしていて、内面支持フック１１を突出したり、後退させることで、洗面器６の形状や大きさに対応することができるようにしている［図６（ｃ）］。内面支持フック１１を突出・後退自在とする構成は、種々変更することができる。
【００１９】
図１０〜図１２は他の実施の形態を示し、但し、本実施の形態の基本構成は上記実施の形態と共通であり、共通する部分には同一の符号を付して説明は省略する。
【００２０】
本実施の形態においては、第２の取付部４は小物取付部３として略Ｃ字状となるシャワーフック２７を備えていて、シャワーヘッド２８を支持できるようにしている。この場合、シャワーフック２７を備えた第２の取付部４を壁面１５に例えばビス等で取付けた後、着脱手段５によって第１の取付部２を取付けるようにしている。
【図面の簡単な説明】
【００２１】
【図１】本発明の浴室小物取付装置の実施の一形態の使用状態の正面図である。
【図２】同上の浴室小物を外した状態を示し、（ａ）は平面図、（ｂ）は正面図、（ｃ）は側面図である。
【図３】同上の第１の取付部と第２の取付部を着脱手段にて接続した状態を示し、（ａ）は平面図、（ｂ）は側面図、（ｃ）は正面図である。
【図４】同上の第２の取付部を示し、（ａ）は平面図、（ｂ）は側面図、（ｃ）は正面図である。
【図５】同上の第１の取付部の他の実施の形態を示す概略側面図である。
【図６】（ａ）は浴室小物としての洗面器を取る付ける説明図、（ｂ）は洗面器と他の浴室小物を取り付ける説明図、（ｃ）は洗面器の形状の変更に対処する使用形態を示す説明図である。
【図７】同上の第１の取付部を示し、（ａ）は平面図、（ｂ）は側面図、（ｃ）は正面図である。
【図８】同上の第１の取付部のみを使用するときに用いるカバーを示し、（ａ）は平面図、（ｂ）は側面図、（ｃ）は正面図である。
【図９】同上の第１の取付部にカバーを被せて第１の取付部のみを使用する形態を示し、（ａ）は平面図、（ｂ）は側面図、（ｃ）は正面図である。
【図１０】他の使用形態を示す側面図である。
【図１１】同上の第２の取付部を示し、（ａ）は平面図、（ｂ）は側面図、（ｃ）は正面図である。
【図１２】同上の第２の取付部に第１の取付部を接続した使用形態を示し、（ａ）は平面図、（ｂ）は側面図、（ｃ）は正面図である。
【符号の説明】
【００２２】
１  小物取付部
２  第１の取付部
３  他の小物取付部
４  第２の取付部
５  着脱手段
６  洗面器
【図１】
2008237610.tif 000003
【図２】
2008237610.tif 000004
【図３】
2008237610.tif 000005
【図４】
2008237610.tif 000006
【図５】
2008237610.tif 000007
【図６】
2008237610.tif 000008
【図７】
2008237610.tif 000009
【図８】
2008237610.tif 000010
【図９】
2008237610.tif 000011
【図１０】
2008237610.tif 000012
【図１１】
2008237610.tif 000013
【図１２】
2008237610.tif 000014